(57)【要約】  本発明は、フィン安定化迫撃砲発射体（１）の尾部軸の周りに配置されるインクリメント式装薬（４）であって、中央に位置する尾部軸用空間と、インクリメント式装薬（４）を取り付けるための、空間内の取り付け開口とを有するインクリメント式装薬（４）に関する。インクリメント式装薬（４）の両側に、隣接したインクリメント式装薬（４）の取り付け開口にはめ込まれる突出部が設けられて、隣接し合うインクリメント式装薬を互いにロックできるようにしている。
2007522429.tif 000002
【特許請求の範囲】
【請求項１】
フィン安定化迫撃砲発射体用のインクリメント式装薬であって、
前記発射体の尾部軸（２）用にほぼ中央に位置して、該インクリメント式装薬を前記尾部軸（２）の周りに取り付けることができるようにする空間と、
該空間から該インクリメント式装薬（４）の縁部まで延在する、前記尾部軸（２）より幅が狭い取り付け開口（６）と、
該インクリメント式装薬の厚さ方向に延出する突出部であって、隣接したインクリメント式装薬（４）の前記取り付け開口（６）内にはまり、それによって、隣接し合う該インクリメント式装薬（４）を互いにロックすることができる突出部と
を備えるインクリメント式装薬であって、
該インクリメント式装薬（４）の厚さ方向、すなわち、前記発射体の長手方向で所定位置に取り付けられた該インクリメント式装薬（４）の両側に、隣接した該インクリメント式装薬（４）の前記取り付け開口（６）の内部にはまることができる２つの突出部（７ａ、７ｂ）が設けられ、
それにより、該インクリメント式装薬（４）の前記突出部が隣接した該インクリメント式装薬の前記取り付け開口にはまり、
それにより、隣接し合う該インクリメント式装薬（４）を互いにロックし、
また同時に、前記発射体の前記尾部軸（２）の周りの所定位置に取り付けられた該インクリメント式装薬（４）を前記突出部によって前記発射体に対して回転不可能にロックすることができるようにする
ことを特徴とする、インクリメント式装薬。
【請求項２】
前記インクリメント式装薬（４）の両側の前記突出部（７ａ、７ｂ）は、前記取り付け開口（６）に関してほぼ対称的である、請求項１に記載のインクリメント式装薬。
【請求項３】
前記突出部（７ａ、７ｂ）は、前記取り付け開口（６）の内面に緊密に押し付けられる寸法であり、
それにより、前記インクリメント式装薬（４）は、その厚さ方向にも、すなわち前記インクリメント式装薬（４）が前記発射体の長手方向の所定位置に取り付けられたときにも、互いに対してロックされるようになる
ことを特徴とする、請求項１又は２に記載のインクリメント式装薬。
【請求項４】
前記インクリメント式装薬（４）の少なくとも１つの突出部（７ａ、７ｂ）に溝（８）が設けられ、前記発射体の尾部の案内フィン（３ａ）が前記溝にはまり、
それにより、前記尾部に最も近い位置に取り付けられたインクリメント式装薬（４）を前記発射体の前記尾部軸に対して回転不可能にロックすることができ、
それにより、インクリメント式装薬アセンブリ全体を前記発射体に対して回転不可能にロックするようにする
ことを特徴とする、請求項１〜３のいずれか１項に記載のインクリメント式装薬。
【請求項５】
前記インクリメント式装薬（４）のすべての突出部（７ａ、７ｂ）に溝（８）が設けられ、前記発射体の前記尾部の前記案内フィン（３ａ）が前記溝にはまることを特徴とする、請求項４に記載のインクリメント式装薬。
【請求項６】
前記突出部（７ａ、７ｂ）は、互いに距離を置いて位置する２つの突出部分（７ｃ）から成り、
前記溝（８）は、それらの間に形成されていることを特徴とする、請求項４又は５に記載のインクリメント式装薬。
【請求項７】
前記インクリメント式装薬（４）の少なくとも１つの突出部（７ａ、７ｂ）は、前記発射体の２つの隣接した案内フィン（３ａ）の間にはまる寸法であり、
それにより、前記尾部に最も近い前記インクリメント式装薬（４）を前記発射体の前記尾部軸（２）に対して回転不可能にロックし、インクリメント式装薬アセンブリ全体を前記発射体に対して回転不可能にロックするようにする
ことを特徴とする、請求項１〜６のいずれか１項に記載のインクリメント式装薬。
【請求項８】
前記インクリメント式装薬（４）の前記突出部（７ａ、７ｂ）は、ほぼ同様の形状であることを特徴とする、請求項１〜７のいずれか１項に記載のインクリメント式装薬。
【請求項９】
前記インクリメント式装薬（４）は、ニトロセルロース等の可燃性材料製のケーシングを有し、
火薬又は推進剤に適した他の材料が前記ケーシング内に入っていることを特徴とする、請求項１〜８のいずれか１項に記載のインクリメント式装薬。
【発明の詳細な説明】
【技術分野】
【０００１】
本発明は、フィン安定化迫撃砲発射体用のインクリメント式装薬であって、発射体の尾部軸用にほぼ中央に位置して、インクリメント式装薬を尾部軸の周りに取り付けることができるようにする空間と、空間からインクリメント式装薬の縁部まで延在する、尾部軸より幅が狭い取り付け開口と、インクリメント式装薬の厚さ方向に延出する突出部であって、隣接したインクリメント式装薬の取り付け開口内にはまり、それにより、隣接し合うインクリメント式装薬を互いにロックすることができる突出部とを備えるインクリメント式装薬に関する。フィン安定化迫撃砲発射体は一般的に、実際の火薬を収容しているカートリッジから延びた尾部軸を有し、尾部軸には案内フィンが固定されている。一般的に４つ以上の案内フィンが設けられるが、それらの数は変わってもよい。
【背景技術】
【０００２】
迫撃砲尾部軸の内部には通常の推進装薬（propellant charge）が入っており、これは点火時に発火して、発射体に一定の大きさの砲口速度を与え、それにより、発射体を所定通りに飛翔させる。
【０００３】
点火時のこれらのフィン安定化迫撃砲発射体の飛翔距離、したがってそれらの射程は、発射体の尾部軸の周りに配置された異なる種類のインクリメント式装薬で制御することができ、迫撃砲身内の装薬の燃焼が発射体に追加的推進力を供給する。異なるタイプ及び異なる燃焼特性のインクリメント式装薬を使用することにより、所望の飛翔距離を制御することが可能である。
【０００４】
従来型解決策では、インクリメント式装薬は、迫撃砲身内にはまるように、ほぼ丸形の形状である。さらに、尾部軸の形状にほぼ対応する形状を有するインクリメント式装薬の中央に位置する空間内に発射体の尾部軸を押し込むことができるようにするために、インクリメント式装薬は、一方側部に取り付け開口を有する。
【発明の開示】
【発明が解決しようとする課題】
【０００５】
従来型インクリメント式装薬の問題は、発射体が個別の弾薬カセット又はホルダ内に保持されて、機械的送り装置で迫撃砲身内へ送り込まれる解決策でそれらを使用することができないことである。その理由は、インクリメント式装薬の質量のため、それらは振動によって、それらの取り付け開口が上向きになり、したがってインクリメントが外れて落下する可能性がある位置をとるからである。インクリメント式装薬が外れる可能性は、このタイプの弾薬の取り扱いにおける主要な危険因子であり、許容されることができない。さらに、インクリメント式装薬は、異なった位置にあり、したがって、砲身内で不均一に燃焼し、それにより、発射体の飛翔軌跡にも有害なほどの大きなばらつきを生じるであろう。
【課題を解決するための手段】
【０００６】
［発明の簡単な説明］
本発明の目的は、発射体を保管し、機械的送り装置によって迫撃砲身に送り込む解決策にも使用することができるインクリメント式装薬を提供することである。
【０００７】
本発明のインクリメント式装薬は、インクリメント式装薬の厚さ方向、すなわち、発射体の長手方向で所定位置に取り付けられたインクリメント式装薬の両側に、隣接したインクリメント式装薬の取り付け開口の内部にはまることができる２つの突出部が設けられ、それにより、インクリメント式装薬の突出部が隣接したインクリメント式装薬の取り付け開口にはまり、それによって、隣接し合うインクリメント式装薬を互いにロックし、また同時に、発射体の尾部軸の周りの所定位置に取り付けられたインクリメント式装薬を突出部によって発射体に対して回転不可能にロックすることができるようにすることを特徴とする。
【０００８】
本発明の本質的な着想は、インクリメント式装薬の両側にロック部材を設ける、すなわち、インクリメント式装薬の厚さ方向の両側に突出部を設けて、それらが隣接したインクリメント式装薬の取り付け開口にはまり込み、所定位置に取り付けられた隣接し合うインクリメント式装薬を互いに回転不可能にロックし、それにより、隣接したインクリメント式装薬の取り付け開口が異なる方向に向くようにすることである。本発明の好適な実施の形態によれば、突出部は、所定位置に取り付けられたインクリメント式装薬を尾部軸に対して回転不可能にロックする。本発明の第２の好適な実施の形態によれば、突出部の少なくとも１つに溝が設けられ、発射体尾部の案内フィンがそれにはまり込み、それにより、所定位置に取り付けられたインクリメント式装薬を発射体の尾部軸に対して回転不可能にロックし、それによってインクリメント式装薬アセンブリ全体を発射体に対して回転不可能にロックすることができる。本発明の第３の好適な実施の形態によれば、突出部は、２つの隣接した案内フィンの間にはまる寸法であり、それにより、尾部に最も近いインクリメント式装薬を発射体の尾部軸に対して回転不可能にロックし、それによってインクリメント式装薬アセンブリ全体を発射体に対して回転不可能にロックする。
【０００９】
本発明の利点は、発射体に取り付けられたインクリメント式装薬が互いにほぼ所定位置に留まり、振動又は他の取り扱いによって外れることがあり得ないことである。また、砲身内部での燃焼が常にほぼ同じように起きる。さらなる利点は、そのようなインクリメント式装薬を設けた発射体を機械的に取り扱い、且つ機械的装填装置によって弾薬カセットから砲身内に装填することができ、それらが外れる危険がまったくないことである。
【発明を実施するための最良の形態】
【００１０】
次に、添付図面を参照しながら、本発明をさらに詳細に説明する。
【００１１】
［発明の詳細な説明］
図１は、迫撃砲発射体の概略図である。発射体は、爆薬（explosive material）を収容している実際の発射体部分１を有し、それに尾部軸２が接続されており、尾部軸は実際の推進装薬を収容しており、尾部軸２の後端部には、案内フィン３ａを有する尾部３が設けられている。
【００１２】
図２は、本発明のインクリメント式装薬の一実施形態の概略図である。インクリメント式装薬４は、迫撃砲管内にそれをはめ込むことができるようにする外形を有する。最も単純な形では、その形状は、図２に示されているように、円形に似ているが、発射体と一緒に迫撃砲身内にはめ込まれるならば、任意の他の形状にすることもできる。したがって、それの最大外形寸法は、大きくても発射体の直径に等しいであろう。インクリメント式装薬４は、中央に位置する、一般的にほぼ丸形の空間５を有し、この空間５は尾部軸２とほぼ同一形状であり、この空間内に尾部軸２がはまり込む。空間５は、インクリメント式装薬の一縁部に至っている取り付け開口６を有する。インクリメント式装薬４を発射体の尾部軸２上に取り付けるとき、発射体の尾部軸２をこの開口に押し通すことができる。取り付け開口６は尾部軸２の直径よりわずかに小さく、それにより、尾部軸２が、インクリメント式装薬４の中央に位置する空間５に入っているとき、インクリメント式装薬４は尾部軸２上に留まる。
【００１３】
さらに、インクリメント式装薬４の厚さ方向の両側、すなわち、発射体の長手方向に取り付けられたインクリメントの上側及び下側に、突出部７ａ及び７ｂが設けられ、ロック部材として作用する。突出部７ａ及び７ｂは、取り付け開口に関してインクリメント式装薬の両側でほぼ対称的であることが最も好ましい。インクリメント式装薬４を互いに上下に置くとき、突出部７ａ及び７ｂが別のインクリメント式装薬４の取り付け開口６内にはまり込み、これにより、突出部７ａ及び７ｂと取り付け開口６とによって、積み重ねられたインクリメント式装薬４が互いに回転不可能にロックされる。図５に関して後述するが、尾部軸２の周りにすべてのインクリメント式装薬４を取り付けることで、インクリメント式装薬４、すなわちインクリメント式装薬アセンブリ全体がロックされて、ほぼ固定された統一体になる。適当な形状及び寸法のロック部材を使用することにより、いずれの状況においても発射体の尾部軸２を中心にして回転することがない構成体（entity）が完成される。突出部７ａ及び７ｂは好ましくは、隣接したインクリメント式装薬４の取り付け開口６に押し込まれたとき、それらが取り付け開口６の内面に押し付けられ、それにより、インクリメント式装薬４が互いに係合して、厚さ方向に、すなわち、所定位置に取り付けられたとき、発射体の長手方向に、摩擦の衝撃及び押圧力によってロックされるようになるような寸法にされる。さらに、インクリメント式装薬は、インクリメントの直径に関して両側でロックされる、すなわち２つの隣接したインクリメント式装薬４の突出部は互いの取り付け開口にはまり込み、それにより、インクリメント式装薬の両側に作用するロック力は、それらの直径に関してほぼ対称的である。
【００１４】
図３は、本発明の第２のインクリメント式装薬の概略図である。本実施形態では、突出部７ｂに溝８が設けられ、他の点では図２のインクリメント式装薬に一致する。溝８を利用して、発射体の尾部に最も近いインクリメント式装薬４を所定位置に押し込んだとき、案内フィン３ａの１つが溝８にはまり、それにより、インクリメント式装薬及びインクリメント式装薬アセンブリ全体を発射体に対して回転不可能にロックする位置にインクリメント式装薬４をセットできるようになっている。溝８は、使用する発射体に応じて、適当な形状及び深さにすることができ、極端な場合、溝８は突出部７ｂを、互いに距離を置いて位置する２つの突出部分７ｃに分割する。
【００１５】
対称的に配置する代わりに、突出部７ａ及び７ｂを非対称的に配置することもでき、その場合、積み重ねられたインクリメント式装薬は特定角度で互いに対して回転する。本実施形態では、突出部７ｂだけが溝８を設けることができるが、溝７ａ及び７ｂの両方が同様な溝を有することもできるであろう。さらに、溝を全くなくして本実施形態を実施することも可能であり、その場合、突出部は、２つの隣接した案内フィンの間にはまり、それによって、インクリメント式装薬を尾部及び発射体全体に対して回転不可能にロックするような形状を有する。同様に、図３の実施形態に示された突出部を、それらが２つの隣接した案内フィン３ａの間にはまるような形状にすることが可能である。
【００１６】
図４は、インクリメント式装薬アセンブリを所定位置に取り付けた迫撃砲発射体の概略図である。図４に示されているように、インクリメント式装薬４は、尾部軸２の周りに配置され、それにより、それらは尾部軸２をほぼ完全に覆っており、隣接したインクリメント式装薬４の突出部から離脱するように、発射体の長手方向に互いに分離することができない。図４はさらに、突出部７ｂ内の溝８が案内フィン３ａ上にはまり、それにより、案内フィン３ａが突出部７ｂの、溝８の両側の部分の間に留まり、それによってインクリメント式装薬４が発射体に対して回転することが防止される様子を示す。インクリメント式装薬の残りも同様に、隣接し合うインクリメント式装薬にロックされるので、インクリメント式装薬アセンブリ全体が、発射体の尾部軸２を中心にして回転不可能である。その結果、インクリメント式装薬４が発射体に対して回転できず、そのため、それらの取り付け開口が上向きになって発射体が振動衝撃によって尾部軸から外れる可能性を伴わずに、発射体を異なったタイプのカセット又は他の発射体ホルダ内に保管することができる。
【００１７】
図５は、発射体のノーズの方向から見たときの、発射体尾部の案内フィンに対する、溝を設けたインクリメント式装薬突出部７ｂの位置の概略図である。図５は、案内フィン３ａを設けた尾部３を示す。図５はまた、尾部軸２及びインクリメント式装薬突出部７ｂの断面も示す。突出部７ｂの溝８が案内フィン３ａと一致し、したがって、突出部７ｂが案内フィン３ａの両側に位置している。所定位置に取り付けられたインクリメント式装薬アセンブリは、突出部７ｂが尾部から発射体の軸方向に離れることを防止するので、突出部７ｂは、インクリメント式装薬アセンブリを尾部の案内フィン３ａに対してロックする。
【００１８】
次に、図６は、突出部７が、発射体の２つの隣接した案内フィン３ａの間にはまる形状を有するインクリメント式装薬の一実施形態を示す。図６は、突出部７ｂが２つの案内フィン３ａ間にいかに位置するかを示す点を除いて、図５と同様である。図５の実施形態と同様に、突出部７ｂがインクリメント式装薬を、それにより、インクリメント式装薬アセンブリ全体を案内フィン３ａに対して回転不可能にロックし、それにより、インクリメント式装薬アセンブリ全体を発射体に対して回転不可能にロックする。
【００１９】
以上の説明及び図面では、インクリメント式装薬を一体ユニットとして説明しており、実際にその通りである。インクリメント式装薬はさまざまな方法で実現されることができ、したがって、推進装薬に適した一定の種類の可燃性材料から流し込み成形又はプレス成形によって製造されるであろう。さらに、インクリメント式装薬は、取り扱いに耐える、ニトロセルロース等の適当な可燃性材料製のケーシングを設け、適当な量の火薬又はその目的に適した他の材料をケーシングに挿入することによって製造されてもよい。
【００２０】
図７は、インクリメント式装薬４の一実施形態の概略図で後者の実施例を示し、その部品が斜視図で示されている。本実施形態では、インクリメント式装薬４は、たとえばニトロセルロース等の適当な材料から、たとえばプレス成形、絞り成形又は流し込み成形によって形成された２つの部品４ａ及び４ｂから成るケーシングを有する。ケーシングを備えたこのタイプの推進装薬の製造は既知であり、したがって、本文脈でより詳細に説明する必要はない。
【００２１】
推進装薬４のカバー４ａ内に所望量の火薬等の適当な推進剤４ｂを入れてから、ケーシングの部品４ａ及び４ｂを合わせて固定する。インクリメント式装薬４の内部の火薬の品質及び量を変化させることにより、外観及び使用目的が同一でありながら、異なった力のインクリメント式装薬４を製造することができる。したがって、異なった力のインクリメント式装薬を使用することにより、発射体の飛翔軌跡をさまざまに制御することが可能である。
【００２２】
本発明をもっぱら例示として上記明細書及び図面に記載してきたが、本発明は決してそれに制限されることはない。本質的なことは、インクリメント式装薬の両側に少なくとも１つの突出部があり、それにより、積み重ねられたインクリメント式装薬が、インクリメント式装薬の突出部及び取り付け開口等のロック部材によって互いに回転不可能にロックされることである。好適な実施形態によれば、突出部は、突出部及び尾部の案内フィンによってインクリメント式装薬アセンブリ全体が発射体の周りに回転不可能にロックされるようにする形状及び寸法を有する。
【図面の簡単な説明】
【００２３】
【図１】従来型迫撃砲発射体の概略図である。
【図２ａ】本発明のインクリメント式装薬の一実施形態の概略図である。
【図２ｂ】本発明のインクリメント式装薬の一実施形態の概略図である。
【図２ｃ】本発明のインクリメント式装薬の一実施形態の概略図である。
【図２ｄ】本発明のインクリメント式装薬の一実施形態の概略図である。
【図２ｅ】本発明のインクリメント式装薬の一実施形態の概略図である。
【図３ａ】本発明のインクリメント式装薬の第２の実施形態の概略図である。
【図３ｂ】本発明のインクリメント式装薬の第２の実施形態の概略図である。
【図３ｃ】本発明のインクリメント式装薬の第２の実施形態の概略図である。
【図３ｄ】本発明のインクリメント式装薬の第２の実施形態の概略図である。
【図３ｅ】本発明のインクリメント式装薬の第２の実施形態の概略図である。
【図４】本発明のインクリメント式装薬を備えた迫撃砲発射体の概略図である。
【図５】発射体の尾部フィンに対する図２のインクリメント式装薬の突出部の概略図である。
【図６】発射体の尾部フィンに対する図３のインクリメント式装薬の突出部の位置の概略図である。
【図７】インクリメント式装薬の部品を斜視図で示したインクリメント式装薬の一実施形態の概略図である。
【図１】
2007522429.tif 000003
【図２ａ】
2007522429.tif 000004
【図２ｂ】
2007522429.tif 000005
【図２ｃ】
2007522429.tif 000006
【図２ｄ】
2007522429.tif 000007
【図２ｅ】
2007522429.tif 000008
【図３ａ】
2007522429.tif 000009
【図３ｂ】
2007522429.tif 000010
【図３ｃ】
2007522429.tif 000011
【図３ｄ】
2007522429.tif 000012
【図３ｅ】
2007522429.tif 000013
【図４】
2007522429.tif 000014
【図５】
2007522429.tif 000015
【図６】
2007522429.tif 000016
【図７】
2007522429.tif 000017
【国際調査報告】
2007522429.tif 000018
2007522429.tif 000019